(57)【要約】【課題】ホームネットワークシステムにおいて、被操作機器の現在の状態確認を容易かつ確実に行うことができるようにする。【解決手段】建物に取付け又は設置される単一又は複数の被操作機器２と、これらの被操作機器２を操作する室内操作端末３や遠隔操作端末８と、これらの操作端末３、８及び被操作機器２を接続するネットワーク４、５とを備えるホームネットワークシステム１において、室内操作端末３や遠隔操作端末８は、被操作機器２の個別操作画面１０３、２０３を表示すると共に、この操作画面の中に、被操作機器２の現在の状態を絵で表示するように構成される。【選択図】　　　　図７
2004112506.tif 000002
【特許請求の範囲】
【請求項１】
建物に取付け又は設置される単一又は複数の被操作機器と、
前記被操作機器を操作する操作端末と、
該操作端末及び前記被操作機器を接続するネットワークと
を備えるホームネットワークシステムにおいて、
前記操作端末は、前記被操作機器の操作画面を表示すると共に、この操作画面の中に、前記被操作機器の現在の状態を絵で表示することを特徴とするホームネットワークシステム。
【請求項２】
前記操作端末は、前記操作画面の中に、前記被操作機器の現在の動作状態を絵及び文字で表示することを特徴とする請求項１記載のホームネットワークシステム。
【請求項３】
前記操作端末は、前記被操作機器の現在の動作状態と共に、動作モード、異常発生の有無、タイマ設定の有無、又はタイマ設定時間を表示することを特徴とする請求項１又は２記載のホームネットワークシステム。
【請求項４】
前記被操作機器が、建物の開口部を開閉する建物用電動シャッターである場合、前記操作画面に、前記建物用電動シャッターの開放動作、停止動作又は閉鎖動作を選択する動作選択部を表示すると共に、所定の決定操作に応じて、前記動作選択部で選択された動作を実行するにあたり、前記操作画面が初期状態のとき、前記動作選択部では、停止動作が選択されていることを特徴とする請求項１〜３に記載のホームネットワークシステム。
【請求項５】
前記被操作機器が、ＯＮ状態とＯＦＦ状態とに切換操作される機器である場合、前記操作画面に、前記被操作機器のＯＮ状態又はＯＦＦ状態を選択する状態選択部を表示すると共に、所定の決定操作に応じて、前記状態選択部で選択された状態への切換えを実行するにあたり、前記操作画面が初期状態のとき、前記状態選択部では、前記被操作機器の現在の状態が選択されていることを特徴とする請求項１〜４に記載のホームネットワークシステム。
【請求項６】
前記操作端末は、
音声を認識する音声認識手段と、
認識した音声を前記被操作機器の操作信号に変換する信号変換手段と
を備えることを特徴とする請求項１〜５に記載のホームネットワークシステム。
【請求項７】
前記音声認識手段が救援を求める音声を認識したとき、所定の端末に救護要請通知を送信する救護要請通知送信手段を更に備えることを特徴とする請求項６記載のホームネットワークシステム。
【請求項８】
前記操作端末は、音声による操作モードと、操作キーによる操作モードとを切換える操作モード切換手段を備えることを特徴とする請求項６又は７記載のホームネットワークシステム。
【請求項９】
前記操作端末は、建物内で前記被操作機器を操作する室内操作端末、又は、建物外で前記被操作機器を遠隔操作する遠隔操作端末であることを特徴とする請求項１〜８に記載のホームネットワークシステム。
【発明の詳細な説明】
【０００１】
【発明の属する技術分野】
本発明は、建物用電動シャッターなどの被操作機器や、室内操作端末、遠隔操作端末などの操作端末を、ネットワークを介して接続して構成されるホームネットワークシステムに関する。
【０００２】
【従来の技術】
近年、建物に取付け又は設置される家電などの被操作機器を、ネットワークを介して接続するホームネットワークシステム（ネット家電）に関する種々の提案が行われている（例えば、特許文献１参照。）。
この種のホームネットワークシステムでは、建物内の内部ネットワークに接続される室内操作端末や、建物外の外部ネットワークに接続される携帯電話機などの遠隔操作端末から被操作機器を操作するにあたり、操作端末の表示部に、被操作機器の操作画面を表示し、その画面操作に応じて、被操作機器を動作させるように構成されている。
また、近年においては、前記操作画面の中に、被操作機器の現在の状態を表示するようにしたものがある（例えば、特許文献２参照。）。このような構成によれば、離れた場所からでも、被操作機器の現在の状態を確認しつつ、被操作機器の操作を行うことが可能になる。
【０００３】
【特許文献１】
特開２００２−１５２８５６号公報（第８頁、第１５図）
【特許文献２】
特開２００２−７８０３６号公報（第１０頁、第２１図）
【０００４】
【発明が解決しようとする課題】
しかしながら、上記特許文献２に示されるものでは、操作画面の中に、被操作機器の現在の状態を表示するにあたり、被操作機器が現在運転中であるか否かを文字で表示しているに過ぎない。そのため、ユーザが被操作機器の現在の状態を誤認する許りでなく、状態の誤認に起因して被操作機器を誤操作する可能性がある。特に、携帯電話機などの携帯端末は、画面サイズが小さいため、文字が識別し難くなり、上記のような不都合が生じ易くなる。
また、上記特許文献２に示されるものでは、操作画面に、被操作機器の各種設定を選択する設定選択部が表示されるものの、運転開始ボタンの操作だけで被操作機器の運転が開始されるため、１回の誤操作だけでも、意に反して被操作機器の運転状態が切り換えられてしまうという問題がある。
【０００５】
【課題を解決するための手段】
上記の如き実情に鑑みこれらの課題を解決することを目的として創作された本発明のホームネットワークシステムは、建物に取付け又は設置される単一又は複数の被操作機器と、前記被操作機器を操作する操作端末と、該操作端末及び前記被操作機器を接続するネットワークとを備えるホームネットワークシステムにおいて、前記操作端末は、前記被操作機器の操作画面を表示すると共に、この操作画面の中に、前記被操作機器の現在の状態を絵で表示することを特徴とする。
つまり、操作画面の中に、被操作機器の現在の状態を絵で表示することにより、現在の状態確認を容易かつ確実に行うことが可能になる。その結果、被操作機器の現在の状態を文字のみで表示していた従来の如く、ユーザが被操作機器の現在の状態を誤認したり、状態の誤認に起因して被操作機器を誤操作するなどの不都合が回避され、特に、画面サイズが小さい携帯電話機などの携帯端末において、優れた効果を発揮することができる。
また、前記操作端末は、前記操作画面の中に、前記被操作機器の現在の動作状態を絵及び文字で表示することを特徴とする。この場合においては、被操作機器の状態確認を更に容易かつ確実に行うことが可能になる。
また、前記操作端末は、前記被操作機器の現在の動作状態と共に、動作モード、異常発生の有無、タイマ設定の有無、又はタイマ設定時間を表示することを特徴とする。この場合においては、被操作機器の現在の動作状態だけでなく、動作モード、異常発生の有無、タイマ設定の有無、タイマ設定時間なども容易に確認することができる。
また、前記被操作機器が、建物の開口部を開閉する建物用電動シャッターである場合、前記操作画面に、前記建物用電動シャッターの開放動作、停止動作又は閉鎖動作を選択する動作選択部を表示すると共に、所定の決定操作に応じて、前記動作選択部で選択された動作を実行するにあたり、前記操作画面が初期状態のとき、前記動作選択部では、停止動作が選択されていることを特徴とする。この場合においては、操作画面が初期状態のとき、仮に誤って決定操作をしても、被操作機器が動作することがない。そのため、１回の誤操作だけで被操作機器が動作してしまうという従来の問題点を解消することができる。
また、前記被操作機器が、ＯＮ状態とＯＦＦ状態とに切換操作される機器である場合、前記操作画面に、前記被操作機器のＯＮ状態又はＯＦＦ状態を選択する状態選択部を表示すると共に、所定の決定操作に応じて、前記状態選択部で選択された状態への切換えを実行するにあたり、前記操作画面が初期状態のとき、前記状態選択部では、前記被操作機器の現在の状態が選択されていることを特徴とする。この場合においては、操作画面が初期状態のとき、仮に誤って決定操作をしても、被操作機器の状態が切り換えられることがない。そのため、１回の誤操作だけで被操作機器の状態が切り換えられてしまうという従来の問題点を解消することができる。
また、前記操作端末は、音声を認識する音声認識手段と、認識した音声を前記被操作機器の操作信号に変換する信号変換手段とを備えることを特徴とする。この場合においては、操作端末の操作キーを操作することなく、音声だけで被操作機器を動作させることが可能になる。しかも、操作画面を見ることなく被操作機器を動作させることができるため、操作端末の画面サイズに影響されることなく、良好な操作性を確保することができる。また、音声による操作は、操作端末から離れていても可能であるため、寝たきりの病人や老人などでも、被操作機器を容易に動作させることができる。
また、前記音声認識手段が救援を求める音声を認識したとき、所定の端末に救護要請通知を送信する救護要請通知送信手段を更に備えることを特徴とする。この場合においては、火災発生時、強盗侵入時、病状悪化時などの如く、面倒な操作をしている余裕がないときであっても、「助けて」などの声を発するだけで、所定の端末に救護要請通知を送信することができる。そのため、警察署、消防署、警備会社、病院、親戚などに救護を要請することにより、迅速な救護を受けることが可能になる。
また、前記操作端末は、音声による操作モードと、操作キーによる操作モードとを切換える操作モード切換手段を備えることを特徴とする。この場合においては、音声操作モードを選択することにより、操作キーによる被操作機器の操作が規制されるため、子供の悪戯などによる誤動作を防止することができる。
また、前記操作端末は、建物内で前記被操作機器を操作する室内操作端末、又は、建物外で前記被操作機器を遠隔操作する遠隔操作端末であることを特徴とする。この場合においては、室内操作端末、遠隔操作端末の何れにおいても、本発明の効果が得られる。
【０００６】
【発明の実施の形態】
次に、本発明の実施の形態の一つを図面に基づいて説明する。
［システムの全体構成］
図１において、１はホームネットワークシステムであって、該ホームネットワークシステム１は、建物に取付け又は設置される複数の被操作機器２と、これらの被操作機器２を操作する室内操作端末３と、該室内操作端末３及び被操作機器２を接続する建物内の内部ネットワーク４と、該内部ネットワーク４を外部ネットワーク５に接続するホームゲートウェイ６と、外部ネットワーク５に接続される遠隔管理サーバ７と、外部ネットワーク５に接続される複数の遠隔操作端末８とを備えて構成されている。尚、内部ネットワーク４には、ホーム管理サーバが接続され、このホーム管理サーバを介して被操作機器２の操作が行われる。ホーム管理サーバは、単独で設置できる他、室内操作端末３やホームゲートウェイ６に組み込むことが可能であるが、本実施形態では、ホームゲートウェイ６にホーム管理サーバを組み込むものとする。
【０００７】
［システム要素のハードウェア構成］
被操作機器２は、建物に取付け又は設置される家電機器、住宅機器、防犯機器などであり、本実施形態では、被操作機器２として、建物の開口部を開閉する３つの建物用電動シャッター２１Ａ〜２１Ｃ（以下、単にシャッターという。）と、玄関ドアを施錠する電気錠２２と、室内又は室外を照らす照明器具２３と、ラジオ音声を出力するラジオ２４とを備えている。そして、これらの被操作機器２は、内部ネットワーク４の通信規格に適合するホームネットワーク用インタフェースＩＦ（以下、単にインタフェースという。）を介して内部ネットワーク４に接続される。
【０００８】
シャッター２１Ａ〜２１Ｃは、例えば、窓に取り付けられる窓シャッターであり、窓を開閉するシャッターカーテン２１ａと、その左右両側部を昇降ガイドするガイドレール２１ｂと、巻き取ったシャッターカーテン２１ａを収納するシャッターケース２１ｃと、シャッターカーテン２１ａを昇降動作させるモータ２１ｄと、該モータ２１ｄを駆動制御する制御盤２１ｅとを備えている。そして、制御盤２１ｅは、内部ネットワーク４及びインタフェースＩＦを介して、ホームゲートウェイ６から動作指令信号を受信すると、その指令内容に応じて、シャッター２１Ａ〜２１Ｃの開放動作、閉鎖動作又は停止動作を行う。また、シャッター２１Ａ〜２１Ｃの動作が完了（全開、全閉、停止）すると、インタフェースＩＦ及び内部ネットワーク４を介して、ホームゲートウェイ６に動作完了信号が送信される。
【０００９】
シャッター２１Ａ〜２１Ｃは、更に、シャッターカーテン２１ａの手動開放（こじ開け）を検出する手動開放検出手段を備えている。手動開放検出手段は、例えば、シャッターカーテン２１ａが全閉したときＯＮ動作する磁気式近接スイッチを用いて構成されており、全閉したシャッターカーテン２１ａが不審者によって手動開放されると、磁気式近接スイッチのＯＦＦ動作に基づいて手動開放が検出される。この手動開放検出信号は、インタフェースＩＦ及び内部ネットワーク４を介して、ホームゲートウェイ６に送信される。
【００１０】
また、本実施形態では、シャッターカーテン２１ａの下端部に、障害物を検知する障害物検知装置２１ｆを設けると共に、シャッターケース２１ｃの下面部に、障害物検知装置２１ｆからの障害物検知信号（例えば赤外線信号）を受信する受信部２１ｇを設けている。そして、受信部２１ｇが障害物検知信号を受信したとき、シャッター動作を緊急停止させるが、障害物検知装置２１ｆは、バッテリ（乾電池）によって動作されるため、バッテリを適正な時期に交換することが要求される。
【００１１】
電気錠２２は、玄関ドアの近傍に配置される電気錠操作部２２ａに接続され、その操作に応じて施錠・解錠動作される。電気錠操作部２２ａは、内部ネットワーク４及びインタフェースＩＦを介して、ホームゲートウェイ６から動作指令信号を受信すると、その指令内容に応じて、電気錠２２の施錠動作又は解錠動作を行う。また、電気錠２２の動作が完了すると、インタフェースＩＦ及び内部ネットワーク４を介して、ホームゲートウェイ６に動作完了信号が送信される。
【００１２】
照明器具２３及びラジオ２４も、インタフェースＩＦを介して内部ネットワーク４に接続される。そして、内部ネットワーク４及びインタフェースＩＦを介して、ホームゲートウェイ６から動作指令信号を受信すると、その指令内容に応じて、照明器具２３やラジオ２４がＯＮ動作又はＯＦＦ動作されるが、本実施形態では、手動開放検出時に連動させる被操作機器２として、照明器具２３及びラジオ２４を利用するため、照明器具２３及びラジオ２４は、そのＯＮ動作によって不審者を威嚇し得る場所に配置されることが好ましい。
【００１３】
内部ネットワーク４は、所定の通信規格に準拠した無線ＬＡＮ、有線ＬＡＮ、電灯線通信などで構成され、所定の通信プロトコルを用いることにより機器間の通信が可能になる。例えば、通信プロトコルにＴＣＰ／ＩＰを用いる場合は、内部ネットワーク４に接続される各機器に固有のローカルＩＰアドレスが割り当てられ、このアドレスをもとに機器の特定が行われる。
【００１４】
ホームゲートウェイ６には、ゲートウェイ６１及びホーム管理サーバ６２が組み込まれている。ゲートウェイ６１は、一般電話回線網、携帯電話通信網、ＣＡＴＶなどの通信回線を介して、内部ネットワーク４を外部ネットワーク５に接続するモデムなどで構成される。ホーム管理サーバ６２は、ＣＰＵ、メモリ、ハードディスク、ネットワーク接続モジュールなどを備えて構成され、ホームネットワーク全体の制御装置として働く。また、本実施形態のホーム管理サーバ６２は、室内操作端末３にウェブページを提供すると共に、このウェブページを介して、操作信号、設定信号、状態信号などを送受信するローカルウェブサーバ機能を備えている。これにより、ブラウザ機能を備える汎用の端末を、室内操作端末３として使用することが可能になる。
【００１５】
室内操作端末３は、ＣＰＵ、メモリ、表示部、入力部、ネットワーク接続モジュールなどを備えるＰＤＡ、パソコン、専用コントローラなどの端末で構成される。本実施形態では、室内操作端末３でブラウザを起動すると共に、ブラウザからホーム管理サーバ６２にアクセスすることにより、表示部に室内操作用画面が表示され、この画面上で各被操作機器２の操作や状態確認を行うことが可能になる。
【００１６】
外部ネットワーク５は、インターネットなどのグローバルネットワークであり、前記ホームゲートウェイ６、遠隔管理サーバ７及び遠隔操作端末８が接続されている。これらの機器には、固有のグローバルＩＰアドレスが割り当てられ、このアドレスをもとに相手を特定してウェブページなどの通信が行われる。また、電子メール機能を備える遠隔操作端末８は、固有の電子メールアドレスを有し、このアドレスをもとに相手を特定して電子メールの送受信が行われる。
【００１７】
遠隔管理サーバ７は、ＣＰＵ、メモリ、ハードディスク、ネットワーク接続モジュールなどを備えて構成され、ホームネットワークシステム１の遠隔操作管理、防犯管理、運転履歴管理、情報配信管理などを行う。遠隔操作管理は、遠隔管理サーバ７のウェブサーバ機能を用いて行われるもので、遠隔操作端末８にウェブページを提供すると共に、このウェブページを介して、操作信号、設定信号、状態信号などの送受信が行われる。これにより、ブラウザ機能を備える汎用の端末を、遠隔操作端末８として使用することが可能になる。
【００１８】
遠隔操作端末８は、ＣＰＵ、メモリ、表示部、入力部、ネットワーク接続モジュールなどを備える携帯電話機８１やパソコン８２であり、ウェブページを表示するブラウザ機能と、電子メールを送受信する電子メール機能とを備えている。つまり、遠隔操作端末８でブラウザを起動すると共に、ブラウザから遠隔管理サーバ７にアクセスすることにより、遠隔操作端末８の表示部に遠隔操作用画面が表示され、この画面上で各被操作機器２の遠隔操作や状態確認を行うことが可能になる。また、遠隔管理サーバ７から遠隔操作端末８に送信される動作完了通知などの通知は、電子メール形式であり、これが遠隔操作端末８の電子メール機能によって受信される。電子メールは、遠隔操作端末８に直接送信されることなく、一旦、外部ネットワーク５上のメールサーバに蓄えられるが、通常、携帯電話会社は、メールサーバに電子メールが着信すると、それをプッシュ方式で携帯電話機８１に通知するので、大きな時間差なく電子メールを受信することができる。
【００１９】
［ホーム管理サーバの機能構成］
次に、ホーム管理サーバ６２及び遠隔管理サーバ７の機能構成について説明する。図２に示すように、ホーム管理サーバ６２は、機能的な構成として、ウェブサーバ部６２ａ、被操作機器動作部６２ｂ、動作完了通知部６２ｃ、機器異常通知部６２ｄ、防犯異常通知部６２ｅ、機器連動部６２ｆ、状態記憶部６２ｇ、設定記憶部６２ｈ、運転履歴記憶部６２ｉ、情報配信部６２ｊなどを備える。
【００２０】
ウェブサーバ部６２ａは、ホーム管理サーバ６２にウェブサーバプログラム、ＨＴＭＬファイル、ＣＧＩなどを導入して構成され、前述したように、ウェブページを介して室内操作端末３と様々な信号のやり取りを行う。被操作機器動作部６２ｂは、室内操作端末３又は遠隔管理サーバ７から操作信号を受信したとき、それに応じて被操作機器２に動作指令信号を送信するように構成される。動作完了通知部６２ｃは、被操作機器２から動作完了信号を受信したとき、遠隔管理サーバ７に動作完了通知を送信するように構成される。
【００２１】
機器異常通知部６２ｄは、被操作機器２から機器異常信号を受信したとき、又は、操作から所定の設定時間が経過しても、被操作機器２から動作完了信号を受信しないとき、被操作機器２が異常であると判断して、遠隔管理サーバ７に機器異常通知を送信するように構成される。例えば、シャッター２１Ａ〜２１Ｃは、機器異常信号として障害物検知信号や故障信号を送信するように構成されており、これがホーム管理サーバ６２を介して遠隔管理サーバ７に通知される。また、上記設定時間は、被操作機器２が動作完了に要する最大時間よりも少し長い時間であり、設定時間を過剰に長くした場合に比べ、被操作機器２の異常判断を迅速に行うことが可能になる。また、被操作機器２が動作中信号を送信するように構成されている場合は、被操作機器２に動作指令を送信した後、被操作機器２からの動作中信号の有無により被操作機器２の異常を判断するようにしてもよく、この場合には、動作完了信号に基づいて被操作機器２の異常を判断する場合に比べ、異常判断に要する時間を著しく短縮し、機器異常通知を迅速に送信することが可能になる。尚、本実施形態では、ホーム管理サーバ６２で被操作機器２の異常を判断し、これを遠隔管理サーバ７に通知するが、遠隔管理サーバ７で被操作機器２の異常判断を行うようにしてもよい。
【００２２】
防犯異常通知部６２ｅは、シャッター２１Ａ〜２１Ｃから手動開放検出信号を受信したとき、遠隔管理サーバ７に防犯異常通知を送信するように構成される。機器連動部６２ｆは、シャッター２１Ａ〜２１Ｃから手動開放検出信号を受信したとき、予め設定される被操作機器２を動作させるように構成される。
【００２３】
状態記憶部６２ｇは、各被操作機器２の現在の動作状態、機器異常、防犯異常などを記憶するように構成される。これらの状態情報は、ウェブサーバ部６２ａのウェブページに動的に反映される。設定記憶部６２ｈは、ウェブページ上で設定された各種の設定データを記憶するように構成される。運転履歴記憶部６２ｉは、各被操作機器２の運転状況を時系列的に記憶するように構成される。情報配信部６２ｊは、遠隔管理サーバ７からメンテナンス情報、広告情報、地域情報などが配信されたとき、これをウェブページを介して、室内操作端末３の画面に表示させるように構成される。
【００２４】
［遠隔管理サーバの機能構成］
一方、遠隔管理サーバ７は、機能的な構成として、ウェブサーバ部７ａ、被操作機器動作部７ｂ、動作完了通知部７ｃ、機器異常通知部７ｄ、防犯異常通知部７ｅ、状態記憶部７ｆ、設定記憶部７ｇ、運転履歴記憶部７ｈ、運転履歴通知部７ｉ、情報配信部７ｊなどを備える。
【００２５】
ウェブサーバ部７ａは、遠隔管理サーバ７にウェブサーバプログラム、ＨＴＭＬファイル、ＣＧＩなどを導入して構成され、前述したように、ウェブページを介して遠隔操作端末８と様々な信号のやり取りを行う。被操作機器動作部７ｂは、遠隔操作端末８から操作信号を受信したとき、それに応じてホーム管理サーバ６２に動作指令信号を送信するように構成される。動作完了通知部７ｃは、ホーム管理サーバ６２から動作完了通知を受信したとき、操作が行われた遠隔操作端末８に対して、電子メール形式の動作完了通知を送信するように構成される。
【００２６】
機器異常通知部７ｄは、ホーム管理サーバ６２から機器異常通知を受信したとき、操作が行われた遠隔操作端末８、又は予め設定された遠隔操作端末８に対して、電子メール形式の機器異常通知を送信するように構成される。防犯異常通知部７ｅは、ホーム管理サーバ６２から防犯異常通知を受信したとき、予め設定された遠隔操作端末８に対して、電子メール形式の防犯異常通知を送信するように構成される。
【００２７】
状態記憶部７ｆは、ホーム管理サーバ６２の状態記憶部６２ｇと記憶内容を同期するように構成され、その記憶内容は、ウェブサーバ部７ａのウェブページに動的に反映される。設定記憶部７ｇ及び運転履歴記憶部７ｈも、ホーム管理サーバ６２の設定記憶部６２ｈ及び運転履歴記憶部６２ｉと記憶内容を同期するように構成される。運転履歴通知部７ｉは、予め設定される遠隔操作端末８に対して、予め設定された通知時間に運転履歴又はそれに基づく通知を電子メール形式で送信するように構成される。情報配信部７ｊは、配信用のメンテナンス情報、広告情報、地域情報などが登録されると、これらの情報を、対応するホーム管理サーバ６２に送信するように構成される。
【００２８】
［室内操作端末の画面構成］
次に、室内操作端末３の画面構成（ウェブページ構成）について説明する。図３に示すように、室内操作端末３に表示される複数の画面は、互いにリンクされたツリー状の階層構造を有する。室内操作端末３のブラウザを起動してホーム管理サーバ６２にアクセスすると、まず、図４に示す認証画面１０１が表示される。認証画面１０１は、ユーザＩＤ入力部１０１ａと、パスワード入力部１０１ｂと、決定ボタン１０１ｃとを備えており、ユーザがユーザＩＤ入力部１０１ａ及びパスワード入力部１０１ｂにユーザＩＤ及びパスワードを入力した後、決定ボタン１０１ｃを操作すると、入力したユーザＩＤ及びパスワードがホーム管理サーバ６２に送信される。ホーム管理サーバ６２は、ユーザＩＤ及びパスワードの認証処理を行い、これが正しい場合は、メイン画面１０２のページデータを室内操作端末３に送信する。
【００２９】
図５に示すように、メイン画面１０２は、各被操作機器２の現在の状態を表示する複数の状態表示部１０２ａと、各被操作機器２の個別操作画面を選択する複数の個別操作選択部１０２ｂと、一斉操作画面を選択する一斉操作選択部１０２ｃと、各種設定画面を選択する各種設定選択部１０２ｄと、機器情報取得画面を選択する機器情報取得選択部１０２ｅと、問合せ画面を選択する問合せ選択部１０２ｆと、異常解析画面を選択する異常解析選択部１０２ｇと、選択を決定する決定ボタン１０２ｈと、遠隔管理サーバ７から配信されるメンテナンス情報、広告情報、地域情報などを表示する情報表示部１０２ｉとを備える。メイン画面１０２で任意の選択部１０２ｂ〜１０２ｇを選択した後、決定ボタン１０２ｈを操作すると、その選択情報がホーム管理サーバ６２に送信される。ホーム管理サーバ６２は、この選択情報に応じて、対応する画面のページデータを室内操作端末３に送信する。
【００３０】
メイン画面１０２の状態表示部１０２ａには、被操作機器２の現在の状態が絵で表示されると共に、その近傍には、被操作機器２の動作モード、異常発生の有無、タイマ設定の有無、タイマ設定時間なども表示される。例えば、シャッター２１Ａ〜２１Ｃの場合は、全開状態、半開状態又は全閉状態が絵で確認でき、また、防犯モードであるか否か、異常発生か否か、タイマ設定されているか否かなどが文字によって確認できる。そして、被操作機器２の状態が変化した場合は、定期的に行われる画面更新により、メイン画面１０２が例えば図６のように変化することになる。
【００３１】
メイン画面１０２の情報表示部１０２ｉは、例えばバナー形状とされ、遠隔管理サーバ７から配信されるメンテナンス情報、広告情報、地域情報などの文字情報を流れ表示するが、情報表示部１０２ｉの表示方式や表示内容は、これに限定されるものではない。例えば、情報表示部１０２ｉは、文字だけでなく、画像を表示してもよい。また、情報表示部１０２ｉをメイン画面１０２以外に設けたり、情報配信専用画面を用意し、ここで上記情報を全画面表示するようにしてもよい。
【００３２】
図７〜図９に示すように、シャッター２１Ａ〜２１Ｃの個別操作画面１０３は、メイン画面１０２の状態表示部１０２ａと同様に、シャッター２１Ａ〜２１Ｃの現在の状態を絵で表示する状態表示部１０３ａと、シャッター２１Ａ〜２１Ｃの開放動作を選択する開放動作選択部１０３ｂと、シャッター２１Ａ〜２１Ｃの停止動作を選択する停止動作選択部１０３ｃと、シャッター２１Ａ〜２１Ｃの閉鎖動作を選択する閉鎖動作選択部１０３ｄと、防犯モード（前述した手動開放検出に応じて、防犯異常通知や機器連動を行うモード）を選択する防犯モード選択部１０３ｅと、タイマ設定画面を選択するタイマ設定選択部１０３ｆと、異常確認画面を選択する異常確認選択部１０３ｇと、決定操作を行う決定ボタン１０３ｈと、メイン画面１０２に戻る戻るボタン１０３ｉとを備える。この画面で任意の選択部１０３ｂ〜１０３ｇを選択した後、決定ボタン１０３ｈを操作すると、その選択情報がホーム管理サーバ６２に送信される。ホーム管理サーバ６２は、この選択情報が動作選択情報である場合、対応するシャッター２１Ａ〜２１Ｃを指示通りに動作させ、また、選択情報がタイマ設定である場合は、シャッター２１Ａ〜２１Ｃのタイマ設定画面データを室内操作端末３に送信し、また、選択情報が異常確認である場合は、シャッター２１Ａ〜２１Ｃの異常確認画面データを室内操作端末３に送信する。この異常確認画面（図示せず）では、シャッター２１Ａ〜２１Ｃの異常内容や、復旧に必要な確認項目などを表示し、ユーザによる復旧を促すが、ユーザによる復旧が困難な場合は、後述する問合せ画面により、メンテナンス業者などに修理依頼を送信することができる。
【００３３】
個別操作画面１０３では、何れか一つの選択部１０３ｂ〜１０３ｆを選択でき、選択された選択部１０３ｂ〜１０３ｆは、色の変化などにより選択状態であることを表示する（図面では、選択状態をハッチングで示す。）。そして、シャッター２１Ａ〜２１Ｃの個別操作画面１０３においては、初期表示状態のとき、停止動作選択部１０３ｃ（ホームポジション）が選択状態となるようにウェブページが記述される。これにより、初期画面において誤って決定操作をしても、シャッター２１Ａ〜２１Ｃが動作することを回避できる。
【００３４】
個別操作画面１０３の防犯モード選択部１０３ｅを選択決定した場合は、ホーム管理サーバ６２が対応するシャッター２１Ａ〜２１Ｃを閉鎖動作させた後、そのシャッター２１Ａ〜２１Ｃを防犯モードとする。そのため、シャッター２１Ａ〜２１Ｃの閉鎖操作と防犯モード選択操作を同時に行うことが可能になって、ユーザの操作労力を軽減することができる。
【００３５】
図１０に示すように、電気錠２２の個別操作画面１０４は、メイン画面１０２の状態表示部１０２ａと同様に、電気錠２２の現在の状態を絵で表示する状態表示部１０４ａと、電気錠２２の施錠動作を選択する施錠動作選択部１０４ｂと、電気錠２２の解錠動作を選択する解錠動作選択部１０４ｃと、タイマ設定画面を選択するタイマ設定選択部１０４ｄと、決定操作を行う決定ボタン１０４ｅと、メイン画面１０２に戻る戻るボタン１０４ｆとを備える。この画面で任意の選択部１０４ｂ〜１０４ｄを選択した後、決定ボタン１０４ｅを操作すると、その選択情報がホーム管理サーバ６２に送信される。ホーム管理サーバ６２は、この選択情報が動作選択情報である場合、電気錠２２を指示通りに動作させ、また、選択情報がタイマ設定である場合は、電気錠２２のタイマ設定画面データを室内操作端末３に送信する。
【００３６】
電気錠２２の個別操作画面１０４では、何れか一つの選択部１０４ｂ〜１０４ｄを選択でき、選択された選択部１０４ｂ〜１０４ｄは、色の変化などにより選択状態であることを表示する。そして、電気錠２２の個別操作画面１０４においては、初期表示状態のとき、電気錠２２の現在の状態に対応する何れかの動作選択部１０４ｂ、１０４ｃが選択状態となるようにウェブページが記述される。これにより、初期画面において誤って決定操作をしても、電気錠２２が動作することを回避できる。尚、この構成は、照明器具２３やラジオ２４の個別操作画面１０５、１０６でも採用される。
【００３７】
図１１及び図１２に示すように、照明器具２３やラジオ２４の個別操作画面１０５、１０６は、メイン画面１０２の状態表示部１０２ａと同様に、照明器具２３又はラジオ２４の現在の状態を絵で表示する状態表示部１０５ａ、１０６ａと、照明器具２３又はラジオ２４を入り動作（ＯＮ状態）を選択する入り動作選択部１０５ｂ、１０６ｂと、照明器具２３又はラジオ２４の切り動作（ＯＦＦ状態）を選択する切り動作選択部１０５ｃ、１０６ｃと、タイマ設定画面を選択するタイマ設定選択部１０５ｄ、１０６ｄと、決定操作を行う決定ボタン１０５ｅ、１０６ｅと、メイン画面１０２に戻る戻るボタン１０５ｆ、１０６ｆとを備える。この画面で任意の選択部１０５ｂ〜１０５ｄ、１０６ｂ〜１０６ｄを選択した後、決定ボタン１０５ｅ、１０６ｅを操作すると、その選択情報がホーム管理サーバ６２に送信される。ホーム管理サーバ６２は、この選択情報が動作選択情報である場合、照明器具２３又はラジオ２４を指示通りに動作させ、また、選択情報がタイマ設定である場合は、照明器具２３又はラジオ２４のタイマ設定画面データを室内操作端末３に送信する。
【００３８】
図１３に示すように、ラジオ２４のタイマ設定画面１０７は、メイン画面１０２の状態表示部１０２ａと同様に、ラジオ２４の現在の状態を絵で表示する状態表示部１０７ａと、入りタイマのＯＮ／ＯＦＦを選択する入りタイマ選択部１０７ｂと、入りタイマの時間を設定する入り時間設定部１０７ｃと、切りタイマのＯＮ／ＯＦＦを選択する切りタイマ選択部１０７ｄと、切りタイマの時間を設定する切り時間設定部１０７ｅと、決定操作を行う決定ボタン１０７ｆと、上位画面に戻る戻るボタン１０７ｇとを備える。この画面でタイマ設定を行った後、決定ボタン１０７ｆを操作すると、そのタイマ設定情報がホーム管理サーバ６２に送信される。ホーム管理サーバ６２は、このタイマ設定情報に応じて、ラジオ２４を指示通りに動作させる。尚、シャッター２１Ａ〜２１Ｃ、電気錠２２及び照明器具２３のタイマ設定画面は、ラジオ２４のタイマ設定画面１０７と略同じ構成であるため、図示及び説明を省略する。
【００３９】
図１４に示すように、一斉操作画面１０８は、防犯警戒モードを選択する防犯警戒モード選択部１０８ａと、一斉開モードを選択する一斉開モード選択部１０８ｂと、一斉閉・切モードを選択する一斉閉・切モード選択部１０８ｃと、一斉開・入モードを選択する一斉開・入モード選択部１０８ｄと、決定操作を行う決定ボタン１０８ｅと、メイン画面１０２に戻る戻るボタン１０８ｆとを備える。この画面で任意の選択部１０８ａ〜１０８ｄを選択した後、決定ボタン１０８ｅを操作すると、その選択情報がホーム管理サーバ６２に送信される。ホーム管理サーバ６２は、選択情報が防犯警戒モードである場合、シャッター２１Ａ〜２１Ｃの閉鎖動作、電気錠２２の施錠動作、照明器具２３及びラジオ２４の切り動作を一斉に行うと共に、シャッター２１Ａ〜２１Ｃを防犯モードとする。また、一斉開モードが選択された場合は、シャッター２１Ａ〜２１Ｃの開放動作を一斉に行う。また、一斉閉・切モードが選択された場合は、シャッター２１Ａ〜２１Ｃの閉鎖動作、電気錠２２の施錠動作、照明器具２３及びラジオ２４の切り動作を一斉に行う。また、一斉開・入モードが選択された場合は、シャッター２１Ａ〜２１Ｃの開放動作、電気錠２２の解錠動作、照明器具２３及びラジオ２４の入り動作を一斉に行う。これにより、簡単な選択操作だけで、様々なパターンの一斉操作を行うことが可能になる。尚、上記の一斉操作パターンは、一例を示すに過ぎず、その他のパターンで各被操作機器２を一斉操作するようにしてもよい。また、一斉操作のパターンをユーザが任意に設定できるようにしてもよく、この場合には、システムの柔軟性を高めることができる。
【００４０】
図１５に示すように、各種設定画面１０９は、パスワード変更の設定画面を選択するパスワード変更選択部１０９ａと、防犯異常通知の通知先設定画面を選択する警報通知先選択部１０９ｂと、運転履歴通知の通知先設定画面を選択する運転履歴通知先選択部１０９ｃと、防犯異常時における連動機器の設定画面を選択する連動機器選択部１０９ｄと、決定操作を行う決定ボタン１０９ｅと、メイン画面１０２に戻る戻るボタン１０９ｆとを備える。この画面で任意の選択部１０９ａ〜１０９ｄを選択した後、決定ボタン１０９ｅを操作すると、その選択情報がホーム管理サーバ６２に送信される。ホーム管理サーバ６２は、この選択情報に対応する設定画面のページデータを室内操作端末３に送信する。
【００４１】
図１６に示すように、パスワード変更画面１１０は、現在のパスワードを入力する現パスワード入力部１１０ａと、新しいパスワードを入力する新パスワード入力部１１０ｂと、新しいパスワードを確認のためにもう一度入力する新パスワード再入力部１１０ｃと、決定操作を行う決定ボタン１１０ｄと、上位画面に戻る戻るボタン１１０ｅとを備える。この画面で新旧パスワードを入力した後、決定ボタン１１０ｄを操作すると、その設定情報がホーム管理サーバ６２に送信され、以降の認証時に新パスワードが使用される。
【００４２】
図１７に示すように、警報通知先設定画面１１１は、通知先の電子メールアドレスを入力する３つの通知先入力部１１１ａと、決定操作を行う決定ボタン１１１ｂと、上位画面に戻る戻るボタン１１１ｃとを備える。この画面で任意の通知先を入力した後、決定ボタン１１１ｂを操作すると、その設定情報がホーム管理サーバ６２に送信される。そして、それ以降は、防犯異常が発生したとき、上記の通知先に防犯異常通知が送信されることになる。
【００４３】
図１８に示すように、運転履歴通知先設定画面１１２は、通知先の電子メールアドレスを入力する３つの通知先入力部１１２ａと、通知時刻を設定する通知時刻設定部１１２ｂと、決定操作を行う決定ボタン１１２ｃと、上位画面に戻る戻るボタン１１２ｄとを備える。この画面で通知先の入力や通知時刻の設定を行った後、決定ボタン１１２ｃを操作すると、その設定情報がホーム管理サーバ６２に送信される。そして、それ以降は、上記通知時刻になると、上記の通知先に運転履歴通知が送信されることになる。
【００４４】
図１９に示すように、連動機器設定画面１１３は、防犯異常時に連動させる被操作機器２を選択する連動機器選択部１１３ａと、決定操作を行う決定ボタン１１３ｂと、上位画面に戻る戻るボタン１１３ｃとを備える。この画面で連動させる被操作機器２を選択した後、決定ボタン１１３ｂを操作すると、その設定情報がホーム管理サーバ６２に送信される。そして、それ以降は、防犯異常が発生したとき、上記の被操作機器２が自動的に動作されることになる。
【００４５】
図２０に示すように、機器情報取得画面１１４は、運転履歴確認画面を選択する運転履歴確認選択部１１４ａと、積算運転回数画面を選択する積算運転回数選択部１１４ｂと、決定操作を行う決定ボタン１１４ｃと、メイン画面１０２に戻る戻るボタン１１４ｄとを備える。この画面で何れかの選択部１１４ａ、１１４ｂを選択した後、決定ボタン１１４ｃを操作すると、その選択情報がホーム管理サーバ６２に送信される。ホーム管理サーバ６２は、その選択情報に応じた画面データを室内操作端末３に送信する。
【００４６】
図２１に示すように、運転履歴確認画面１１５は、被操作機器２に関する最新１０件の運転履歴を時系列的に表示する運転履歴表示部１１５ａと、上位画面に戻る戻るボタン１１５ｂとを備える。また、図２２に示すように、積算運転回数確認画面１１６は、被操作機器２に関する現在の積算運転回数を表示する積算運転回数表示部１１６ａと、上位画面に戻る戻るボタン１１６ｂとを備える。
【００４７】
図２３に示すように、問合せ画面１１７は、問合せのタイトルを入力するタイトル入力部１１７ａと、問合せの本文を入力する本文入力部１１７ｂと、問合せを送信する送信ボタン１１７ｃと、メイン画面に戻る戻るボタン１１７ｄとを備える。この画面でタイトル及び本文を入力した後、送信ボタン１１７ｃを操作すると、問合せ情報がホーム管理サーバ６２に送信される。ホーム管理サーバ６２は、予め設定されるメンテナンス業者などの問合せ先に問合せメールを送信する。尚、本実施形態では、問合せ先が固定であるが、問合せ先を任意に選択又は入力できるようにしてもよい。また、被操作機器２の主な異常内容を選択可能に表示し、その選択情報を送信するようにした場合は、問合せに際してユーザの労力を軽減できる許りでなく、問合せ先での異常確認が容易になるという利点がある。また、問合せ画面１１７は、メイン画面１０２の情報表示部１０２ｉに表示されるメンテナンス情報、広告情報、地域情報などに対する問合せに用いることもでき、この場合には、メンテナンス業者、広告主、行政などとの間に双方向コミュニケーション手段を構築することが可能になる。
【００４８】
図２４に示すように、異常解析画面１１８は、各シャッター２１Ａ〜２１Ｃの異常を選択する複数の異常選択部１１８ａを備えている。何れかの異常選択部１１８ａを選択すると、前述した異常確認画面が表示され、ここで異常内容の解析などを行うことが可能になる。
【００４９】
［遠隔操作端末の画面構成］
次に、遠隔操作端末８のブラウザ画面構成（ウェブページ構成）について説明する。但し、遠隔操作端末８の画面構成は、概念的に室内操作端末３のものと同じであるため、主な画面についてのみ図示及び説明をする。遠隔操作端末８のブラウザを起動して遠隔管理サーバ７にアクセスすると、まず、図２５に示す認証画面２０１が表示される。認証画面２０１は、ユーザＩＤ入力部２０１ａと、パスワード入力部２０１ｂと、決定ボタン２０１ｃと、キャンセルボタン２０１ｄとを備えており、ユーザがユーザＩＤ入力部２０１ａ及びパスワード入力部２０１ｂにユーザＩＤ及びパスワードを入力した後、決定ボタン２０１ｃを操作すると、入力したユーザＩＤ及びパスワードが遠隔管理サーバ７に送信される。遠隔管理サーバ７は、ユーザＩＤ及びパスワードの認証処理を行い、これが正しい場合は、メイン画面２０２のページデータを遠隔操作端末８に送信する。
【００５０】
図２６に示すように、メイン画面２０２は、各被操作機器２の現在の状態を表示する複数の状態表示部２０２ａと、各被操作機器２の個別操作画面を選択する複数の個別操作選択部２０２ｂと、一斉操作画面を選択する一斉操作選択部２０２ｃと、各種設定画面を選択する各種設定選択部２０２ｄと、問合せ画面を選択する問合せ選択部２０２ｅとを備える。メイン画面２０２で任意の選択部２０２ｂ〜２０２ｅを選択した後、端末本体の決定ボタンを操作すると、その選択情報が遠隔管理サーバ７に送信される。遠隔管理サーバ７は、この選択情報に応じて、対応する画面データを遠隔操作端末８に送信する。
【００５１】
図２７に示すように、シャッター２１Ａ〜２１Ｃの個別操作画面２０３は、シャッター２１Ａ〜２１Ｃの現在の状態を絵及び文字で表示し、かつ、タイマ設定状態などを文字で表示する状態表示部２０３ａと、シャッター２１Ａ〜２１Ｃの開放動作を選択する開放動作選択部２０３ｂと、シャッター２１Ａ〜２１Ｃの停止動作を選択する停止動作選択部２０３ｃと、シャッター２１Ａ〜２１Ｃの閉鎖動作を選択する閉鎖動作選択部２０３ｄと、タイマ設定画面を選択するタイマ設定選択部２０３ｅと、メイン画面２０２に戻る戻るボタン２０３ｆとを備える。この画面で任意の選択部２０３ｂ〜２０３ｅを選択した後、端末本体の決定ボタンを操作すると、その選択情報が遠隔管理サーバ７に送信される。遠隔管理サーバ７は、この選択情報が動作選択情報である場合、ホーム管理サーバ６２を介して、対応するシャッター２１Ａ〜２１Ｃを指示通りに動作させ、また、選択情報がタイマ設定である場合は、シャッター２１Ａ〜２１Ｃのタイマ設定画面データを遠隔操作端末８に送信する。尚、この画面の初期状態では、室内操作端末３の個別操作画面１０３と同様、停止動作選択部２０３ｃが選択状態となる。
【００５２】
図２８に示すように、電気錠２２の個別操作画面２０４は、電気錠２２の現在の状態を絵及び文字で表示し、かつタイマ設定状態などを文字で表示する状態表示部２０４ａと、電気錠２２の施錠動作を選択する施錠動作選択部２０４ｂと、電気錠２２の解錠動作を選択する解錠動作選択部２０４ｃと、タイマ設定画面を選択するタイマ設定選択部２０４ｄと、メイン画面２０２に戻る戻るボタン２０４ｅとを備える。この画面で任意の選択部２０４ｂ〜２０４ｄを選択した後、端末本体の決定ボタンを操作すると、その選択情報が遠隔管理サーバ７に送信される。遠隔管理サーバ７は、この選択情報が動作選択情報である場合、ホーム管理サーバ６２を介して、電気錠２２を指示通りに動作させ、また、選択情報がタイマ設定である場合は、電気錠２２のタイマ設定画面データを遠隔操作端末８に送信する。尚、この画面の初期状態では、室内操作端末３の個別操作画面１０４と同様、現在の状態に対応する動作選択部２０４ｂ、２０４ｃが選択状態となる。
【００５３】
図２９に示すように、一斉操作画面２０５は、留守モード（防犯警戒モード）を選択する留守モード選択部２０５ａと、一斉開モードを選択する一斉開モード選択部２０５ｂと、一斉閉モードを選択する一斉閉モード選択部２０５ｃと、一斉機器入モードを選択する一斉機器入モード選択部２０５ｄと、一斉機器切モードを選択する一斉機器切モード選択部２０５ｅと、メイン画面２０２に戻る戻るボタン２０５ｆとを備える。この画面で任意の選択部２０５ａ〜２０５ｅを選択した後、端末本体の決定ボタンを操作すると、その選択情報が遠隔管理サーバ７に送信される。遠隔管理サーバ７は、選択情報が留守モードである場合、ホーム管理サーバ６２を介して、シャッター２１Ａ〜２１Ｃの閉鎖動作、電気錠２２の施錠動作、照明器具２３及びラジオ２４の切り動作を一斉に行うと共に、シャッター２１Ａ〜２１Ｃを防犯モードとする。また、一斉開モードが選択された場合は、ホーム管理サーバ６２を介して、シャッター２１Ａ〜２１Ｃの開放動作及び電気錠２２の解錠動作を一斉に行う。また、一斉閉モードが選択された場合は、ホーム管理サーバ６２を介して、シャッター２１Ａ〜２１Ｃの閉鎖動作及び電気錠２２の施錠動作を一斉に行う。また、一斉機器入モードが選択された場合は、ホーム管理サーバ６２を介して、照明器具２３及びラジオ２４の入り動作を一斉に行う。また、一斉機器切モードが選択された場合は、照明器具２３及びラジオ２４の切り動作を一斉に行う。
【００５４】
次に、遠隔操作端末８のメール画面構成について説明する。図３０〜図３３に示すように、遠隔操作端末８は、メール画面として、受信メール一覧画面２０６と、受信メール表示画面２０７とを備える。図３０に示すように、受信メール一覧画面２０６には、遠隔管理サーバ７から受信した動作完了通知などのメール一覧が表示され、操作履歴として機能する。遠隔管理サーバ７が送信する通知メールの種類には、図３４に示す如く、動作完了通知（操作受付通知）と、異常発生復旧通知と、機器情報通知とがあり、操作完了通知には、操作した被操作機器２の名称、操作内容、操作日時などが含まれる。また、異常発生復旧通知には、防犯異常と機器異常の種別、発生と復旧の種別、対象となる被操作機器２の名称、発生復旧日時などが含まれる。また、機器情報通知には、運転履歴通知と、運転積算回数通知と、メンテナンス通知と、生活状況通知とがある。運転履歴通知には、例えば、各被操作機器２の過去２４時間の運転回数、最新の操作記録などが含まれる。また、運転積算回数通知には、各被操作機器２の積算運転回数が含まれる。また、メンテナンス通知には、運転履歴に基づいて算出される適正なメンテナンス時期及びその内容、又は、運転履歴に基づいて算出されるバッテリの交換時期などが含まれる。また、生活状況通知には、建物内における住人の活動の有無などが含まれる。これは、例えば、各被操作機器２の過去２４時間の運転履歴などに基づいて判断される。
【００５５】
次に、ホームネットワークシステム１の動作を、室内操作時の動作、遠隔操作時の動作、防犯異常時の動作、運転履歴通知動作、情報配信動作に分けて説明する。
【００５６】
［室内操作時の動作］
図３５に示すように、例えば、室内操作端末３のブラウザ画面上でシャッター２１Ａ〜２１Ｃの開放操作を行うと、その操作信号は、ホーム管理サーバ６２に送信される。ホーム管理サーバ６２は、室内操作端末３からシャッター開放操作信号を受信すると、対応するシャッター２１Ａ〜２１Ｃに開放動作指令を送信し、その指令がインタフェースＩＦを介して、シャッター２１Ａ〜２１Ｃの制御盤２１ｅに入力される。制御盤２１ｅは、シャッター２１Ａ〜２１Ｃを開放動作させると共に、その全開を待つ。シャッター２１Ａ〜２１Ｃが全開すると、制御盤２１ｅがシャッター２１Ａ〜２１Ｃの動作を停止させると共に、インタフェースＩＦを介して、ホーム管理サーバ６２に全開信号を送信する。ホーム管理サーバ６２は、シャッター２１Ａ〜２１Ｃから全開信号を受信すると、状態記憶部６２ｇや運転履歴記憶部６２ｉの記憶内容を更新する。それに伴ってメイン画面１０２や個別操作画面１０４の状態表示部１０２ａ、１０４ａが更新され、室内操作端末３のブラウザ画面で動作完了が確認される。
【００５７】
一方、シャッター２１Ａ〜２１Ｃに開放動作指令を送信した後、被操作機器２から機器異常信号を受信したとき、又は、開放動作指令の送信後、所定の設定時間が経過しても、シャッター２１Ａ〜２１Ｃから全開信号（動作完了信号）を受信しないとき、シャッター２１Ａ〜２１Ｃが異常であると判断し、状態記憶部６２ｇや運転履歴記憶部６２ｉの記憶内容を更新する。それに伴ってメイン画面１０２や個別操作画面１０４の状態表示部１０２ａ、１０４ａが更新され、室内操作端末３のブラウザ画面で機器異常の発生が確認される。
【００５８】
［遠隔操作時の動作］
図３６に示すように、例えば、遠隔操作端末８のブラウザ画面上でシャッター２１Ａ〜２１Ｃの開放操作を行うと、その操作信号は、遠隔管理サーバ７に送信される。遠隔管理サーバ７は、遠隔操作端末８からシャッター開放操作信号を受信すると、ゲートウェイ６１及びホーム管理サーバ６２に介して、対応するシャッター２１Ａ〜２１Ｃに開放動作指令を送信し、その指令がインタフェースＩＦを介して、シャッター２１Ａ〜２１Ｃの制御盤２１ｅに入力される。制御盤２１ｅは、シャッター２１Ａ〜２１Ｃを開放動作させると共に、その全開を待つ。シャッター２１Ａ〜２１Ｃが全開すると、制御盤２１ｅがシャッター２１Ａ〜２１Ｃの動作を停止させると共に、インタフェースＩＦを介して、ホーム管理サーバ６２に全開信号を送信する。ホーム管理サーバ６２は、シャッター２１Ａ〜２１Ｃから全開信号を受信すると、状態記憶部６２ｇや運転履歴記憶部６２ｉの記憶内容を更新すると共に、ゲートウェイ６１を介して、遠隔管理サーバ７に全開信号を送信する。遠隔管理サーバ７は、ホーム管理サーバ６２から全開信号を受信すると、状態記憶部７ｆや運転履歴記憶部７ｈの記憶内容を更新すると共に、動作完了通知を電子メールで遠隔操作端末８に送信する。遠隔操作端末８では、携帯電話会社のメール着信通知サービスに応じて、動作完了通知を受信し、受信メール一覧画面２０６又は受信メール表示画面２０７でシャッター２１Ａ〜２１Ｃの動作完了が確認される。
【００５９】
一方、シャッター２１Ａ〜２１Ｃに開放動作指令を送信した後、ホーム管理サーバ６２が被操作機器２から機器異常信号を受信したとき、又は、開放動作指令の送信後、所定の設定時間が経過しても、ホーム管理サーバ６２がシャッター２１Ａ〜２１Ｃから全開信号（動作完了信号）を受信しないとき、シャッター２１Ａ〜２１Ｃが異常であると判断し、状態記憶部６２ｇや運転履歴記憶部６２ｉの記憶内容を更新すると共に、ゲートウェイ６１を介して、遠隔管理サーバ７に機器異常信号を送信する。遠隔管理サーバ７は、ホーム管理サーバ６２から機器異常信号を受信すると、状態記憶部７ｆや運転履歴記憶部７ｈの記憶内容を更新すると共に、機器異常通知を電子メールで遠隔操作端末８に送信する。遠隔操作端末８では、携帯電話会社のメール着信通知サービスに応じて、機器異常通知を受信し、受信メール一覧画面２０６又は受信メール表示画面２０７でシャッター２１Ａ〜２１Ｃの異常が確認される。
【００６０】
［防犯異常時の動作］
図３７に示すように、シャッター２１Ａ〜２１Ｃが防犯モードで閉鎖されているとき、不審者によってシャッター２１Ａ〜２１Ｃが手動開放されると、制御盤２１ｅに手動開放検出信号が入力される。制御盤２１ｅは、手動開放検出信号を入力すると、インタフェースＩＦを介して、ホーム管理サーバ６２に防犯異常信号を送信する。ホーム管理サーバ６２は、防犯異常信号を受信すると、状態記憶部６２ｇや運転履歴記憶部６２ｉの記憶内容を更新すると共に、連動機器設定画面１１３で設定されている被操作機器２に動作指令信号を送信し、さらに、ゲートウェイ６１を介して、遠隔管理サーバ７に防犯異常信号を送信する。遠隔管理サーバ７は、ホーム管理サーバ６２から防犯異常信号を受信すると、状態記憶部７ｆや運転履歴記憶部７ｈの記憶内容を更新すると共に、警報通知先設定画面１１１で設定されているアドレス（端末）に電子メールとして防犯異常通知を送信する。
【００６１】
［運転履歴通知動作］
図３８に示すように、室内操作端末３の運転履歴通知先設定画面１１２又は遠隔操作端末８の運転履歴通知先設定画面（図示せず）で設定されている通知時刻になると、ホーム管理サーバ６２又は遠隔管理サーバ７は、予め設定されるアドレス（端末）に対し、運転履歴又はそれに基づく通知を電子メールとして送信する。この通知としては、前述した運転履歴通知、運転積算回数通知、メンテナンス通知、生活状況通知などがある。
【００６２】
［情報配信動作］
図３９に示すように、遠隔管理サーバ７は、配信用のメンテナンス情報、広告情報、地域情報などが登録されると、これらの情報を、対応するホーム管理サーバ６２に送信する。ホーム管理サーバ６２は、遠隔管理サーバ７から上記の情報を受信すると、室内操作端末３のメイン画面１０２を構成するウェブページが更新され、室内操作端末３のメイン画面１０２が備える情報表示部１０２ｉに上記の情報が表示される。情報表示部１０２ｉに表示される情報のうち、メンテナンス情報は、各建物における運転履歴に基づいて内容が変化するもので、例えば、シャッター２１Ａ〜２１Ｃの積算運転回数が所定の回数に達したとき、「定期点検の時期です。」などのメッセージをユーザに伝えるために用いられる。また、広告情報は、被操作機器２に関する広告だけでなく、一般商品の広告であってもよい。また、地域情報は、例えば、地域行政情報、地域防災情報などであり、その地域に属する建物のみに情報が配信される。
【００６３】
以上、本発明の実施形態を説明したが、更に室内操作端末３や遠隔操作端末８に音声操作機能を追加したり、シャッター２１Ａ〜２１Ｃに室内監視機能を追加することにより、操作性や防犯性を向上させることができ、以下、室内操作端末３に音声操作機能を追加するための構成と、シャッター２１Ａ〜２１Ｃに室内監視機能を追加するための構成とを図面に沿って説明する。
【００６４】
［音声操作機能］
図４０及び図４１に示すように、音声操作機能を備える室内操作端末３１は、ハードウェア構成として、表示画面３１ａ、操作キー３１ｂ、操作モード切換スイッチ３１ｃ（操作モード切換手段）、マイク３１ｄ、ＥＥＰＲＯＭ３１ｅ、音声認識マイクロプロセッサ３１ｆ（音声認識手段）、コンバータ３１ｇ（信号変換手段）などを備える。操作モード切換スイッチ３１ｃは、音声による操作モードと、操作キー３１ｂによる操作モードとを切換えるものであり、キー操作モードを選択すると、前記室内操作端末３と同じ操作画面が表示され、この画面に沿ったキー操作が可能になる一方、音声操作モードを選択すると、操作キー３１ｂによる操作が規制され、音声による操作のみが許容される。
【００６５】
ＥＥＰＲＯＭ３１ｅは、電気的な書換えが可能な不揮発性メモリであり、ここには、ユーザの音声や、音声操作に使用する操作言語が予め記憶される。音声認識マイクロプロセッサ３１ｆは、マイク３１ｄから所定レベル以上の音声を入力したとき、この音声とＥＥＰＲＯＭ３１ｅの記憶音声とを比較し、操作言語を認識する。コンバータ３１ｇは、音声認識マイクロプロセッサ３１ｆが操作言語を認識したとき、この操作言語を被操作機器２の操作信号に変換し、これを室内操作端末３１のＣＰＵに出力する。従って、音声操作モードにおいては、室内操作端末３１の操作キー３１ｂを操作することなく、音声だけで被操作機器２を動作させることが可能になる。
【００６６】
また、音声認識機能を備える室内操作端末３１をホームネットワークシステム１に組み込む場合は、音声認識マイクロプロセッサ３１ｆが救援を求める音声を認識したとき、所定の外部端末に救護要請通知を送信する救護要請通知送信機能（救護要請通知送信手段）を追加してもよい。救護要請通知送信機能は、例えば、火災発生時、強盗侵入時、病状悪化時などの如く、面倒な操作をしている余裕がないとき、「助けて」などの音声を認識し、それに応じて所定の外部端末に救護要請通知を送信するように構成されるものである。この機能は、例えば、ＥＥＰＲＯＭ３１ｅに「助けて」などの救護要請用操作言語を登録すると共に、ホーム管理サーバ６２に救護要請通知プログラムを追加する程度の簡単な構成で実施することができる。
【００６７】
また、シャッター２１Ａ〜２１Ｃが、スラット（羽根）の角度変更に基づいて、採光量や通風量を調整できるブラインドシャッターである場合は、「暑い」、「寒い」、「明るい」、「暗い」などの操作言語を記憶すると共に、その操作言語に応じて、シャッター２１Ａ〜２１Ｃの採光量調整や通風量調整を行うようにしてもよい。この場合には、寝たきりの病人や老人であっても、音声だけで採光量調整や通風量調整を行うことが可能になる。
【００６８】
［室内監視機能］
ホームネットワークシステム１に室内監視機能（画像送信手段）を追加する場合は、図４２及び４３に示すように、シャッター２１Ａ〜２１Ｃを操作するシャッター操作部２１ｈに、監視カメラ２１ｉが取り付けられる。シャッター操作部２１ｈは、上昇スイッチＳＷ１、停止スイッチＳＷ２及び下降スイッチＳＷ３を備える既存の操作ユニットであり、この操作信号は、内部ネットワーク４を経由することなく、制御盤２１ｅに直接入力される。また、シャッター操作部２１ｈは、建物にネジ固定されるように構成されており、ネジ固定部は、既存のカバー２１ｊによって隠されるが、カバー２１ｊには、複数のシャッター操作部２１ｈを覆うためのものも用意されている。
【００６９】
監視カメラ２１ｉは、シャッター操作部２１ｈと同形状の筐体にＣＣＤなどのカメラユニット２１ｋを組み込んで構成される。従って、監視カメラ２１ｉ及びシャッター操作部２１ｈを並設し、これらをカバー２１ｊで覆うだけで設置が完了することになる。そして、本実施形態では、監視カメラ２１ｉで撮影した室内の画像を、外部ネットワーク５に接続される遠隔操作端末８にウェブページを介して送信するように構成される。つまり、遠隔操作端末８のブラウザ画面で撮影画像の表示を要求すると、それに応じて遠隔管理サーバ７がホーム管理サーバ６２に撮影画像の送信を要求する。そして、この要求を受けたホーム管理サーバ６２は、監視カメラ２１ｉ側又はホーム管理サーバ６２側に導入されているＣＧＩ、ＪＡＶＡアプレットなどの画像送信プログラムを起動し、遠隔管理サーバ７に対する撮影画像の送信を開始する。この撮影画像は、遠隔管理サーバ７を経由して遠隔操作端末８に送信され、そのブラウザ画面に表示される。これにより、ブラウザ機能を備える携帯電話などの端末で室内の状況を確認することが可能になる。
【００７０】
また、監視カメラ２１ｉに、室内又は室外の音声を取り込むマイクを設け、その音声を監視カメラ２１ｉの画像と共に送信するようにしてもよい。この場合には、監視カメラ２１ｉを利用してマイクを取り付けることができるだけでなく、画像及び音声によって室内の状況を更に詳細に認識することが可能になる。
【００７１】
また、前述した防犯異常通知部７ｅが防犯異常通知を遠隔操作端末８に送信する際、その電子メールに監視カメラ２１ｉの室内撮影画像を添付するようにしてもよい。この場合には、防犯異常通知に添付された撮影画像を参照することにより、防犯異常の原因を特定したり、室内の状況を確認することが可能になる。
【００７２】
叙述の如く構成された本実施形態のホームネットワークシステム１において、遠隔操作端末８は、ブラウザ画面に表示される遠隔操作用のウェブページを介して、遠隔管理サーバ７（遠隔操作管理サーバ）に遠隔操作信号を送信するブラウザ機能（遠隔操作信号送信手段）と、電子メールを受信する電子メール機能（電子メール受信手段）とを備え、遠隔管理サーバ７は、遠隔操作端末８からのアクセスに応じて、遠隔操作用のウェブページデータを送信するウェブサーバ部７ａ（ウェブページ送信手段）と、遠隔操作端末８から受信した遠隔操作信号に応じて、被操作機器２を動作させる被操作機器動作部７ｂ（被操作機器動作手段）と、被操作機器２の動作完了に応じて、電子メール形式の動作完了通知を遠隔操作端末８に送信する動作完了通知部７ｃ（動作完了通知送信手段）とを備える。つまり、被操作機器２の動作完了が電子メールで通知されるため、メール着信通知機能を持つ携帯電話機８１などの端末においては、被操作機器２を遠隔操作した後、何ら操作を行うことなく、最短時間で被操作機器２の動作完了を確認することが可能になる。その結果、被操作機器２の動作完了確認に際し、ブラウザのページ更新操作を要求する従来に比べ、ユーザの操作負担を軽減できる許りでなく、ユーザの待ち時間を短縮することができる。
【００７３】
しかも、遠隔操作端末８の受信メール一覧画面２０６を利用し、被操作機器２の操作履歴を表示することができるため、遠隔操作をしたか否かを忘れた場合には、再度サーバに接続することなく、受信メール一覧画面２０６で遠隔操作の有無を確認することが可能になる。これにより、過去の操作確認が容易になる許りでなく、サーバ接続による通信費の増加を回避することができる。
【００７４】
また、遠隔管理サーバ７は、被操作機器２の異常発生に応じて、電子メール形式の異常発生通知を遠隔操作端末８に送信する機器異常通知部７ｄ（異常発生通知送信手段）を更に備えるため、動作完了通知と異常発生通知の通知形式を統一できる許りでなく、遠隔操作端末８の受信メール一覧画面２０６を利用して、被操作機器２の操作履歴及び異常発生履歴を表示することができる。
【００７５】
また、機器異常通知部７ｄは、被操作機器２に動作指令を送信した後、所定の設定時間経過しても、被操作機器２からの動作完了信号を受信しないとき、被操作機器２が異常であると判断して、遠隔操作端末８に異常発生通知を送信するため、被操作機器２に動作中信号の送信を要求することなく、遠隔管理サーバ８側で被操作機器２の異常を判断し、遠隔操作端末８に異常発生通知を送信することができる。
【００７６】
また、上記設定時間は、被操作機器２が動作完了に要する最大時間よりも少し長い時間であるため、設定時間を過剰に長くした場合に比べ、被操作機器２の異常判断を迅速に行うことができる。
【００７７】
また、機器異常通知部７ｄは、被操作機器２に動作指令を送信した後、被操作機器２からの動作中信号を受信しないとき、被操作機器２が異常であると判断して、遠隔操作端末８に異常発生通知を送信するように構成してもよく、この場合には、動作完了信号に基づいて被操作機器２の異常を判断する場合に比べ、異常判断に要する時間を著しく短縮することができる。
【００７８】
また、室内操作端末３及び遠隔操作端末８は、被操作機器２の個別操作画面１０３、２０３を表示すると共に、この操作画面の中に、被操作機器２の現在の状態を絵で表示するため、現在の状態確認を容易かつ確実に行うことが可能になる。その結果、被操作機器２の現在の状態を文字のみで表示していた従来の如く、ユーザが被操作機器２の現在の状態を誤認したり、状態の誤認に起因して被操作機器２を誤操作するなどの不都合が回避され、特に、画面サイズが小さい携帯電話機８１などの携帯端末において、優れた効果を発揮することができる。
【００７９】
また、遠隔操作端末８は、個別操作画面２０３の中に、被操作機器２の現在の動作状態を絵及び文字で表示するため、被操作機器２の状態確認を更に容易かつ確実に行うことが可能になる。
【００８０】
また、室内操作端末３及び遠隔操作端末８は、被操作機器２の現在の動作状態と共に、動作モード、異常発生の有無、タイマ設定の有無、タイマ設定時間などを表示するため、被操作機器２の現在の動作状態だけでなく、動作モード、異常発生の有無、タイマ設定の有無、タイマ設定時間なども容易に確認することができる。
【００８１】
また、被操作機器２が、建物の開口部を開閉するシャッター２１Ａ〜２１Ｃである場合、個別操作画面１０３、２０３に、シャッター２１Ａ〜２１Ｃの開放動作、停止動作又は閉鎖動作を選択する動作選択部１０３ｂ〜１０３ｄ、２０３ｂ〜２０３ｄを表示すると共に、所定の決定操作に応じて、動作選択部１０３ｂ〜１０３ｄ、２０３ｂ〜２０３ｄで選択された動作を実行するにあたり、個別操作画面１０３、２０３が初期状態のとき、動作選択部１０３ｂ〜１０３ｄ、２０３ｂ〜２０３ｄでは、停止動作選択部１０３ｃ、２０３ｃが選択されているため、個別操作画面１０３、２０３が初期状態のとき、仮に誤って決定操作をしても、被操作機器２が動作することがない。そのため、１回の誤操作だけで被操作機器２が動作してしまうという従来の問題点を解消することができる。
【００８２】
また、被操作機器２が、施錠状態と解錠状態（ＯＮ状態とＯＦＦ状態）に切換操作される電気錠２２、入り状態と切り状態に切換えられる照明器具２３、ラジオ２４などの機器である場合、個別操作画面１０４〜１０６、２０４に、被操作機器２の各動作を選択する動作選択部１０４ｂ〜１０６ｂ、１０４ｃ〜１０６ｃ、２０４ｂ、２０４ｃを表示すると共に、所定の決定操作に応じて、動作選択部１０４ｂ〜１０６ｂ、１０４ｃ〜１０６ｃ、２０４ｂ、２０４ｃで選択された状態への切換えを実行するにあたり、個別操作画面１０４〜１０６、２０４が初期状態のとき、動作選択部１０４ｂ〜１０６ｂ、１０４ｃ〜１０６ｃ、２０４ｂ、２０４ｃでは、被操作機器２の現在の状態が選択されているため、個別操作画面１０４〜１０６、２０４が初期状態のとき、仮に誤って決定操作をしても、被操作機器２の状態が切り換えられることがない。そのため、１回の誤操作だけで被操作機器２の状態が切り換えられてしまうという従来の問題点を解消することができる。
【００８３】
また、室内操作端末３１は、音声を認識する音声認識マイクロプロセッサ３１ｆ（音声認識手段）と、認識した音声を被操作機器２の操作信号に変換するコンバータ３１ｇ（信号変換手段）とを備えるため、室内操作端末３１の操作キー３１ｂを操作することなく、音声だけで被操作機器２を動作させることが可能になる。しかも、操作画面を見ることなく被操作機器２を動作させることができるため、室内操作端末３１の画面サイズに影響されることなく、良好な操作性を確保することができる。また、音声による操作は、室内操作端末３１から離れていても可能であるため、寝たきりの病人や老人などでも、被操作機器２を容易に動作させることができる。
【００８４】
また、音声認識マイクロプロセッサ３１ｆが救援を求める音声を認識したとき、所定の端末に救護要請通知を送信する救護要請通知送信機能を追加した場合は、火災発生時、強盗侵入時、病状悪化時などの如く、面倒な操作をしている余裕がないときであっても、「助けて」などの声を発するだけで、所定の端末に救護要請通知を送信することができる。そのため、警察署、消防署、警備会社、病院、親戚などに救護を要請することにより、迅速な救護を受けることが可能になる。
【００８５】
また、室内操作端末３１は、音声による操作モードと、操作キーによる操作モードとを切換える操作モード切換スイッチ３１ｃ（操作モード切換手段）を備えるため、音声操作モードを選択することにより、操作キー３１ｂによる被操作機器２の操作が規制され、その結果、子供の悪戯などによる誤動作を防止することができる。
【００８６】
また、ホームネットワークシステム１は、シャッター２１Ａ〜２１Ｃの手動開放を検出する手動開放検出手段と、この手動開放検出に応じて、所定の被操作機器２を動作させる機器連動部６２ｆ（機器連動手段）とを備えるため、シャッター２１Ａ〜２１Ｃが不審者によって手動開放された場合、それに応じて、照明器具２３、ラジオ２４などの被操作機器２を自動的に動作させることができ、その結果、不審者を音や光で威嚇したり、留守宅を在宅状態に見せかけるなど、優れた防犯効果を発揮することができる。しかも、ホームネットワークシステム１に接続された被操作機器２であれば、防犯機器として利用できるため、専用の防犯機器を設ける場合に比べ、防犯システムのコストを抑えることができる。
【００８７】
また、室内操作端末３は、手動開放検出に応じて動作させる被操作機器２を設定する連動機器設定画面１１３（連動機器設定手段）を備えるため、手動開放検出に応じて動作させる被操作機器２を任意に選択することが可能になり、システムの柔軟性を高めることができる。
【００８８】
また、ホーム管理サーバ６２や遠隔管理サーバ７は、手動開放検出に応じて、外部ネットワーク５に接続される所定の端末に防犯異常通知を送信する防犯異常通知部６２ｅ、７ｅ（防犯異常通知手段）を備えるため、ユーザ、警備会社、警察などに防犯異常を通知し、防犯効果を更に高めることができる。
【００８９】
また、室内操作端末３の画面は、防犯異常通知を送信する防犯モード、又は防犯異常通知を送信しない非防犯モードを選択する防犯モード選択部１０３ｅ（防犯モード選択手段）を備えるため、外出時や夜間に限って防犯モードを選択するようにすれば、子供の悪戯などに起因する誤報を回避することができ、その結果、防犯異常通知の信頼性を向上させることが可能になる。
【００９０】
また、室内操作端末３は、シャッター２１Ａ〜２１Ｃの動作を選択する個別操作画面１０３に、シャッター２１Ａ〜２１Ｃを非防犯モードで閉鎖させる閉鎖動作選択部１０３ｄと、シャッター２１Ａ〜２１Ｃを防犯モードで閉鎖させる防犯モード選択部１０３ｅとを表示するため、シャッター２１Ａ〜２１Ｃの閉鎖操作とモード選択操作を同時に行うことが可能になり、その結果、これらの操作を別々に行う場合に比べ、ユーザの操作労力を軽減することができる。
【００９１】
また、室内操作端末３は、防犯異常通知の通知先を設定する警報通知先設定画面１１１（通知先設定手段）を備えるため、防犯異常通知の通知先を任意に選択可能にし、システムの柔軟性を高めることができる。
【００９２】
また、シャッター２１Ａ〜２１Ｃを、内部ネットワーク４を経由せずに直接操作するシャッター操作部２１ｈと、該シャッター操作部２１ｈに一体的に設けられ、その周囲を撮影する監視カメラ２１ｉと、該監視カメラ２１ｉの撮影画像を、外部ネットワーク５に接続される遠隔操作端末８に送信する画像送信機能とを更に備えるため、シャッター操作部２１ｈを利用して監視カメラ２１ｉを設置でき、その結果、監視カメラ２１ｉの設置が容易になる許りでなく、監視カメラ２１ｉを単独で設置する場合に比べ、意匠的にも良好なものとできる。
【００９３】
また、撮影画像は、遠隔操作端末８からの要求に応じて送信され、遠隔操作端末８のブラウザ画面に表示されるため、ブラウザ機能を備える携帯電話などの端末で室内の状況を確認することが可能になる。
【００９４】
また、防犯異常通知を遠隔操作端末８に送信する際、監視カメラ２１ｉの撮影画像を添付するため、防犯異常通知に添付された撮影画像を参照することにより、防犯異常の原因を特定したり、室内の状況を確認することが可能になる。
【００９５】
また、内部ネットワーク４又は外部ネットワーク５に、ホーム管理サーバ６２又は遠隔管理サーバ７を接続すると共に、該管理サーバ６２、７に、シャッター２１Ａ〜２１Ｃの運転履歴を記憶する運転履歴記憶部６２ｉ、７ｈ（運転履歴記憶手段）と、運転履歴又はそれに基づく通知を、外部ネットワーク５に接続される所定の端末、又は内部ネットワーク４に接続される室内操作端末３に送信する運転履歴通知部７ｉ（運転履歴通知手段）とを備えるため、シャッター２１Ａ〜２１Ｃの履歴記憶部を不要にし、シャッター２１Ａ〜２１Ｃのコストダウンを図ることができる。
【００９６】
また、内部ネットワーク４又は外部ネットワーク５に接続された端末であれば、シャッター２１Ａ〜２１Ｃの運転履歴を取り出すことができるため、わざわざ現場まで出向くことなく、運転履歴を入手して故障診断などを行うことができる。また、特別な運転履歴取出装置を使用することなく、簡単に運転履歴を取り出すことができるため、ユーザによる運転履歴の利用も促進することができる。
【００９７】
また、上記通知には、運転履歴に基づいて算出されるシャッター２１Ａ〜２１Ｃのメンテナンス時期やバッテリ交換時期が含まれるため、シャッター２１Ａ〜２１Ｃのメンテナンス時期やバッテリ交換時期を自動的にユーザに通知することが可能になり、その結果、メンテナンス業者の通知業務などを省力化できる許りでなく、適切なバッテリ交換をユーザに促すことができる。
【００９８】
また、上記通知には、運転履歴に基づいて判定される建物内の生活状況が含まれるため、シャッター２１Ａ〜２１Ｃの運転履歴を利用し、建物内における住人の安否などを通知することが可能になる。
【００９９】
また、室内操作端末３や遠隔操作端末８は、上記通知の通知先を設定する運転履歴通知先設定画面１１２（通知先設定手段）を備えるため、通知先を任意に選択することが可能になり、システムの柔軟性を高めることができる。
【０１００】
また、内部ネットワーク４を、外部ネットワーク５を介して遠隔管理サーバ７（情報配信サーバ）に接続すると共に、該遠隔管理サーバ７から室内操作端末３に対して情報を配信し、この情報を室内操作端末３の画面に表示するため、ホームネットワークシステム１の室内操作端末を利用し、ユーザに様々な情報を配信することが可能になる。例えば、被操作機器２の製造業者、販売業者、メンテナンス業者などは、被操作機器２の新製品情報、メンテナンス情報などをユーザに提供する場合、電話、ハガキなどの既存のコミュニケーション手段を使用することなく、ホームネットワークシステム１の室内操作端末３を利用して上記情報を提供することができる。
【０１０１】
また、遠隔管理サーバ７は、被操作機器２のメンテナンス情報を室内操作端末に配信するため、シャッター２１Ａ〜２１Ｃなどの如く、定期的なメンテナンスが必要な被操作機器について、その適正なメンテナンス情報をユーザに通知することが可能になる。
【０１０２】
また、遠隔管理サーバ７は、被操作機器２の運転履歴を記憶すると共に、この運転履歴に基づくメンテナンス情報を室内操作端末３に配信するため、被操作機器２の異常やメンテナンス時期を運転履歴に基づいて判断し、ユーザに通知することができる。
【０１０３】
また、遠隔管理サーバ７は、広告情報を室内操作端末３に配信するため、被操作機器２の新製品情報などをユーザに配信できる許りでなく、その他の一般広告もユーザに配信でき、その結果、ホームネットワークシステム１を利用した新規な広告メディアを構築することができる。
【０１０４】
また、遠隔管理サーバ７は、地域情報を室内操作端末３に配信するため、ホームネットワークシステム１を利用して、地域行政情報、災害警報情報などの地域情報をユーザに配信でき、その結果、地域コミュニケーションの構築に貢献することができる。
【０１０５】
また、室内操作端末３は、問合せメッセージを遠隔管理サーバ７に送信する問合せ画面１１７（問合せ送信手段）を備えるため、ユーザに一方的に情報を配信するだけでなく、ユーザからの情報発信も可能になり、その結果、ユーザとの間に新たな双方向コミュニケーション手段を構築することができる。
【図面の簡単な説明】
【図１】ホームネットワークシステムの全体構成を示すブロック図である。
【図２】ホーム管理サーバ及び遠隔管理サーバの機能構成を示すブロック図である。
【図３】室内操作端末の画面構成を示すブロック図である。
【図４】室内操作端末の認証画面を示す説明図である。
【図５】室内操作端末のメイン画面を示す説明図である。
【図６】室内操作端末のメイン画面が変化した状態を示す説明図である。
【図７】室内操作端末の個別操作画面（シャッター１）を示す説明図である。
【図８】室内操作端末の個別操作画面（シャッター２）を示す説明図である。
【図９】室内操作端末の個別操作画面（シャッター３）を示す説明図である。
【図１０】室内操作端末の個別操作画面（電気錠）を示す説明図である。
【図１１】室内操作端末の個別操作画面（照明器具）を示す説明図である。
【図１２】室内操作端末の個別操作画面（ラジオ）を示す説明図である。
【図１３】室内操作端末のタイマ設定画面（ラジオ）を示す説明図である。
【図１４】室内操作端末の一斉操作画面を示す説明図である。
【図１５】室内操作端末の各種設定画面を示す説明図である。
【図１６】室内操作端末のパスワード変更画面を示す説明図である。
【図１７】室内操作端末の警報通知先設定画面を示す説明図である。
【図１８】室内操作端末の運転履歴通知先設定画面を示す説明図である。
【図１９】室内操作端末の連動機器設定画面を示す説明図である。
【図２０】室内操作端末の機器情報取得画面を示す説明図である。
【図２１】室内操作端末の運転履歴確認画面を示す説明図である。
【図２２】室内操作端末の積算運転回数確認画面を示す説明図である。
【図２３】室内操作端末の問合せ画面を示す説明図である。
【図２４】室内操作端末の異常解析画面を示す説明図である。
【図２５】遠隔操作端末の認証画面を示す説明図である。
【図２６】遠隔操作端末のメイン画面を示す説明図である。
【図２７】遠隔操作端末の個別操作画面（シャッター）を示す説明図である。
【図２８】遠隔操作端末の個別操作画面（電気錠）を示す説明図である。
【図２９】遠隔操作端末の一斉操作画面を示す説明図である。
【図３０】遠隔操作端末の受信メール一覧画面を示す説明図である。
【図３１】遠隔操作端末の受信メール表示画面（動作完了通知：シャッター閉鎖）を示す説明図である。
【図３２】遠隔操作端末の受信メール表示画面（動作完了通知：留守モード）を示す説明図である。
【図３３】遠隔操作端末の受信メール表示画面（防犯異常発生通知）を示す説明図である。
【図３４】通知メールの種類及び内容を示す表図である。
【図３５】室内操作時の動作説明図である。
【図３６】遠隔操作時の動作説明図である。
【図３７】防犯異常時の動作説明図である。
【図３８】運転履歴通知動作の説明図である。
【図３９】情報配信動作の説明図である。
【図４０】音声操作機能を備える室内操作端末の正面図である。
【図４１】音声操作機能を備える室内操作端末の構成を示すブロック図である。
【図４２】シャッターの斜視図である。
【図４３】シャッター操作部及び監視カメラを示す正面図である。
【符号の説明】
１　ホームネットワークシステム
２　被操作機器
３　室内操作端末
４　内部ネットワーク
５　外部ネットワーク
６　ホームゲートウェイ
７　遠隔管理サーバ
８　遠隔操作端末
２１Ａ〜２１Ｃ　建物用電動シャッター
２２　電気錠
２３　照明器具
２４　ラジオ
６１　ゲートウェイ
６２　ホーム管理サーバ
８１　携帯電話機
８２　パソコン
【図１】
2004112506.tif 000003
【図２】
2004112506.tif 000004
【図３】
2004112506.tif 000005
【図４】
2004112506.tif 000006
【図５】
2004112506.tif 000007
【図６】
2004112506.tif 000008
【図７】
2004112506.tif 000009
【図８】
2004112506.tif 000010
【図９】
2004112506.tif 000011
【図１０】
2004112506.tif 000012
【図１１】
2004112506.tif 000013
【図１２】
2004112506.tif 000014
【図１３】
2004112506.tif 000015
【図１４】
2004112506.tif 000016
【図１５】
2004112506.tif 000017
【図１６】
2004112506.tif 000018
【図１７】
2004112506.tif 000019
【図１８】
2004112506.tif 000020
【図１９】
2004112506.tif 000021
【図２０】
2004112506.tif 000022
【図２１】
2004112506.tif 000023
【図２２】
2004112506.tif 000024
【図２３】
2004112506.tif 000025
【図２４】
2004112506.tif 000026
【図２５】
2004112506.tif 000027
【図２６】
2004112506.tif 000028
【図２７】
2004112506.tif 000029
【図２８】
2004112506.tif 000030
【図２９】
2004112506.tif 000031
【図３０】
2004112506.tif 000032
【図３１】
2004112506.tif 000033
【図３２】
2004112506.tif 000034
【図３３】
2004112506.tif 000035
【図３４】
2004112506.tif 000036
【図３５】
2004112506.tif 000037
【図３６】
2004112506.tif 000038
【図３７】
2004112506.tif 000039
【図３８】
2004112506.tif 000040
【図３９】
2004112506.tif 000041
【図４０】
2004112506.tif 000042
【図４１】
2004112506.tif 000043
【図４２】
2004112506.tif 000044
【図４３】
2004112506.tif 000045
【手続補正書】
【提出日】平成14年9月25日(2002.9.25)
【手続補正１】
【補正対象書類名】明細書
【補正対象項目名】００６９
【補正方法】変更
【補正の内容】
【００６９】
監視カメラ２１ｉは、シャッター操作部２１ｈと同形状の筐体にＣＣＤなどのカメラユニット２１ｋを組み込んで構成される。従って、監視カメラ２１ｉ及びシャッター操作部２１ｈを並設し、これらをカバー２１ｊで覆うだけで設置が完了することになる。そして、本実施形態では、監視カメラ２１ｉで撮影した室内の画像を、外部ネットワーク５に接続される遠隔操作端末８にウェブページを介して送信するように構成される。つまり、遠隔操作端末８のブラウザ画面で撮影画像の表示を要求すると、それに応じて遠隔管理サーバ７がホーム管理サーバ６２に撮影画像の送信を要求する。そして、この要求を受けたホーム管理サーバ６２は、監視カメラ２１ｉ側又はホーム管理サーバ６２側に導入されているＣＧＩ、ＪＡＶＡ（登録商標）アプレットなどの画像送信プログラムを起動し、遠隔管理サーバ７に対する撮影画像の送信を開始する。この撮影画像は、遠隔管理サーバ７を経由して遠隔操作端末８に送信され、そのブラウザ画面に表示される。これにより、ブラウザ機能を備える携帯電話などの端末で室内の状況を確認することが可能になる。